(57)【要約】【課題】設計が容易な電磁継電器を提供すること。【解決手段】電磁継電器が、第１固定接点部（２１）を有する第１固定接点側端子（２０）と、第１可動接点側端子（３０）に接続されかつ第１可動接点部（３２）を有する第１可動接触片（３１）と、第２固定接点部（４１）を有する第２固定接点側端子（４０）と、第２可動接点側端子（５０）に接続されかつ第２可動接点部（５２）を有する第２可動接触片（５１）と、電磁石部（６０）と、第１回動ブロック配置空間（６４）に配置された第１回動ブロック（７０）と、第２回動ブロック配置空間（６５）に配置された第２回動ブロック（８０）と、第１可動接触片（３１）と第１回動ブロック（７０）とに接続された第１可動部材（９０）と、第２可動接触片（５１）と第２回動ブロック（８０）とに接続された第２可動部材（１００）とを備える。【選択図】図３
2019032944.tif 000002
【特許請求の範囲】
【請求項１】
内部に収容部を有する箱形の絶縁性のハウジングと、
前記ハウジングに固定され、前記ハウジングの外部から前記収容部まで延びていると共に、前記収容部に位置する第１固定接点部を有する板状の第１固定接点側端子と、
前記ハウジングに固定され、前記ハウジングの外部から前記収容部まで延びていると共に、前記第１固定接点側端子に対して電気的に独立して配置されている板状の第１可動接点側端子と、
前記収容部に配置されかつ前記第１可動接点側端子と電気的に接続されていると共に、前記第１固定接点部に対向する第１可動接点部を有し、前記第１可動接点部が前記第１固定接点部に接触および開離可能に弾性変形する第１可動接触片と、
前記ハウジングに固定され、前記ハウジングの外部から前記収容部まで延びかつ前記第１固定接点側端子および前記第１可動接点側端子に対して電気的に独立して配置されていると共に、前記収容部に位置する第２固定接点部を有する板状の第２固定接点側端子と、
前記ハウジングに固定され、前記ハウジングの外部から前記収容部まで延びていると共に、前記第１固定接点側端子、前記第１可動接点側端子、および、前記第２固定接点側端子に対して電気的に独立して配置されている板状の第２可動接点側端子と、
前記収容部に配置されかつ前記第２可動接点側端子と電気的に接続されていると共に、前記第２固定接点部に対向する第２可動接点部を有し、前記第２可動接点部が前記第２固定接点部に接触および開離可能に弾性変形する第２可動接触片と、
前記収容部に配置されかつ異なる方向の電流を供給可能な電磁石部と、
前記ハウジングに対して回動軸周りに回動可能に前記収容部の第１回動ブロック配置空間に配置されて、前記電磁石部に供給された電流の方向に応じて前記ハウジングに対して異なる方向に回動する第１回動ブロックと、
前記ハウジングに対して回動軸周りに回動可能に前記収容部の第２回動ブロック配置空間に配置されて、前記電磁石部に供給された電流の方向に応じて前記ハウジングに対して異なる方向に回動する第２回動ブロックと、
前記収容部に配置されかつ前記第１可動接触片と前記第１回動ブロックとに接続されていると共に、前記第１回動ブロックの回動方向に応じて移動して前記第１可動接触片を弾性変形させて前記第１可動接点部を前記第１固定接点部に対して接触または開離させる第１可動部材と、
前記収容部に配置されかつ前記第２可動接触片と前記第２回動ブロックとに接続されていると共に、前記第２回動ブロックの回動方向に応じて移動して前記第２可動接触片を弾性変形させて前記第２可動接点部を前記第２固定接点部に対して接触または開離させる第２可動部材と、
を備え、
前記電磁石部が、
前記第１可動接触片および前記第２可動接触片と前記電磁石部との間に配置されかつ相互に対向しない第１対向面および第２対向面を有する第１ヨークと、
前第１記可動接触片および前記第２可動接触片と前記電磁石部との間に配置されかつ前記第１対向面に対向する第３対向面および前記第２対向面に対向する第４対向面を有する第２ヨークとを有し、
前記第１対向面と前記第３対向面との間に前記第１回動ブロック配置空間が設けられ、前記第２対向面と前記第４対向面との間に前記第２回動ブロック配置空間が設けられている、電磁継電器。
【請求項２】
前記第１回動ブロックおよび第２回動ブロックの各々が、前記回動軸が配置された永久磁石と、前記回動軸の延在方向に交差する方向に延びかつ前記永久磁石を挟むように相互に対向して配置された第１鉄片および第２鉄片とを有し、
前記第１回動ブロックの前記永久磁石の極性と、前記第２回動ブロックの前記永久磁石の極性とが、相互に異なっている、請求項１の電磁継電器。
【請求項３】
前記第１可動接点部を前記第１固定接点部に対して接触または開離させるときの前記第１回動ブロックの回転可能な範囲と、前記第２可動接点部を前記第２固定接点部に対して接触または開離させるときの前記第２回動ブロックの回転可能な範囲とが、相互に異なっている、請求項２の電磁継電器。
【請求項４】
前記第１鉄片および第２鉄片の各々が、前記永久磁石から前記第１ヨークに向かって突出する第１端部と、前記永久磁石から前記第２ヨークに向かって突出する第２端部とを有しており、
前記第１鉄片および前記第２鉄片の前記第１端部間には、前記第１ヨークが配置されて、前記第１鉄片および前記第２鉄片のいずれかの前記第１端部が、前記第１回動ブロックまたは前記第２回動ブロックの回動方向で前記第１ヨークに接触するように構成され、
前記第１鉄片および前記第２鉄片の前記第２端部間には、前記第２ヨークが配置されて、前記第１鉄片および前記第２鉄片のいずれかの前記第２端部が、前記第１回動ブロックまたは前記第２回動ブロックの回動方向で前記第２ヨークに接触するように構成されており、
前記第１回動ブロックの前記第１端部および前記第１ヨークの間の最短距離と、前記第２回動ブロックの前記第１端部および前記第１ヨークの間の最短距離とが、相互に異なっている、請求項３の電磁継電器。
【請求項５】
前記第１回動ブロックの前記第１鉄片の前記第１ヨークに対向する面の面積と、前記第２回動ブロックの前記第１鉄片の前記第１ヨークに対向する面の面積とが、相互に異なっており、前記第１回動ブロックの前記第２鉄片の前記第１ヨークに対向する面の面積と、前記第２回動ブロックの前記第２鉄片の前記第１ヨークに対向する面の面積とが、相互に異なっている、請求項２から４のいずれか１つの電磁継電器。
【請求項６】
前記第１回動ブロックの前記回動軸と、前記第２回動ブロックの前記回動軸とが、同軸上に配置されている、請求項１から５のいずれか１つの電磁継電器。
【請求項７】
前記第１回動ブロックの前記回動軸と、前記第２回動ブロックの前記回動軸とが、非同軸上に配置されている、請求項１から５のいずれか１つの電磁継電器。
【請求項８】
請求項１から７のいずれか１つの電磁継電器を備えたスマートメータ。
【発明の詳細な説明】
【技術分野】
【０００１】
本発明は、複数極の電磁継電器およびこれを用いたスマートメータに関する。
【背景技術】
【０００２】
特許文献１に開示されている電磁継電器は、内部に収容部を有する矩形箱形のハウジングと、このハウジングに固定された２つの固定接点側端子および２つの可動接点側端子とを備えている。この電磁継電器の収容部には、各固定接点側端子に設けられた２つの固定接点部と、各可動接点側端子に設けられた２つの可動接触片と、各可動接触片に設けられかつ各固定接点部に対向するように配置された２つの可動接点部と、供給された電流の方向により極性が反転する電磁石部と、電磁石部の極性に応じて異なる方向に回動する１つの回動ブロックとを備えている。
【０００３】
この電磁継電器では、回動ブロックが、永久磁石と、この永久磁石を挟むように配置された一対の矩形板状の鉄片とで構成され、一方の鉄片の長手方向の両端に各可動接触片に接続された可動部材がそれぞれ設けられている。そして、回動ブロックを回動させることにより、各可動部材を移動させて各可動接触片を弾性変形させて、２つの可動接点部を対向する固定接点部に対して接触または開離させている。
【先行技術文献】
【特許文献】
【０００４】
【特許文献１】ＵＳ２００９／００３３４４６Ａ１
【発明の概要】
【発明が解決しようとする課題】
【０００５】
近年、技術の進歩などに伴って、電磁継電器に要求される性能が高くなっている。しかし、前記電磁継電器では、１つの回動ブロックで２つの可動接触片を可動させるため、１つの回動ブロックで１つの可動接触片を可動させる電磁継電器と比べて設計が難しく、電磁継電器に要求されている性能を得ることができないおそれがある。
【０００６】
そこで、本発明は、設計が容易な電磁継電器、および、これを用いたスマートメータを提供することを課題とする。
【課題を解決するための手段】
【０００７】
本発明の一態様の電磁継電器は、
内部に収容部を有する箱形の絶縁性のハウジングと、
前記ハウジングに固定され、前記ハウジングの外部から前記収容部まで延びていると共に、前記収容部に位置する第１固定接点部を有する板状の第１固定接点側端子と、
前記ハウジングに固定され、前記ハウジングの外部から前記収容部まで延びていると共に、前記第１固定接点側端子に対して電気的に独立して配置されている板状の第１可動接点側端子と、
前記収容部に配置されかつ前記第１可動接点側端子と電気的に接続されていると共に、前記第１固定接点部に対向する第１可動接点部を有し、前記第１可動接点部が前記第１固定接点部に接触および開離可能に弾性変形する第１可動接触片と、
前記ハウジングに固定され、前記ハウジングの外部から前記収容部まで延びかつ前記第１固定接点側端子および前記第１可動接点側端子に対して電気的に独立して配置されていると共に、前記収容部に位置する第２固定接点部を有する板状の第２固定接点側端子と、
前記ハウジングに固定され、前記ハウジングの外部から前記収容部まで延びていると共に、前記第１固定接点側端子、前記第１可動接点側端子、および、前記第２固定接点側端子に対して電気的に独立して配置されている板状の第２可動接点側端子と、
前記収容部に配置されかつ前記第２可動接点側端子と電気的に接続されていると共に、前記第２固定接点部に対向する第２可動接点部を有し、前記第２可動接点部が前記第２固定接点部に接触および開離可能に弾性変形する第２可動接触片と、
前記収容部に配置されかつ異なる方向の電流を供給可能な電磁石部と、
前記ハウジングに対して回動軸周りに回動可能に前記収容部の第１回動ブロック配置空間に配置されて、前記電磁石部に供給された電流の方向に応じて前記ハウジングに対して異なる方向に回動する第１回動ブロックと、
前記ハウジングに対して回動軸周りに回動可能に前記収容部の第２回動ブロック配置空間に配置されて、前記電磁石部に供給された電流の方向に応じて前記ハウジングに対して異なる方向に回動する第２回動ブロックと、
前記収容部に配置されかつ前記第１可動接触片と前記第１回動ブロックとに接続されていると共に、前記第１回動ブロックの回動方向に応じて移動して前記第１可動接触片を弾性変形させて前記第１可動接点部を前記第１固定接点部に対して接触または開離させる第１可動部材と、
前記収容部に配置されかつ前記第２可動接触片と前記第２回動ブロックとに接続されていると共に、前記第２回動ブロックの回動方向に応じて移動して前記第２可動接触片を弾性変形させて前記第２可動接点部を前記第２固定接点部に対して接触または開離させる第２可動部材と、
を備え、
前記電磁石部が、
前記可動接触片と前記電磁石部との間に配置されかつ相互に対向しない第１対向面および第２対向面を有する第１ヨークと、
前記可動接触片と前記電磁石部との間に配置されかつ前記第１対向面に対向する第３対向面および前記第２対向面に対向する第４対向面を有する第２ヨークとを有し、
前記第１対向面と前記第３対向面との間に前記第１回動ブロック配置空間が設けられ、前記第２対向面と前記第４対向面との間に前記第２回動ブロック配置空間が設けられている。
【０００８】
また、本発明の一態様のスマートメータは、
前記電磁継電器を備える。
【発明の効果】
【０００９】
前記態様の電磁継電器によれば、複数組の固定接点部および可動接点部と、複数の回動ブロックとを備え、各回動ブロックの回動により各可動接点部を対応する固定接点部に対して接触または開離させている。このため、回動ブロックを１つのみ備えた電磁継電器と比べて、１つの回動ブロックで接離させる可動接点部の数を低減させることができるので、設計が容易な電磁継電器を実現できる。
【００１０】
また、前記態様のスマートメータによれば、前記電磁継電器により、設計が容易で、要求されている性能を得やすいスマートメータを実現できる。
【図面の簡単な説明】
【００１１】
【図１】本発明の一実施形態の電磁継電器の斜視図。
【図２】図１の電磁継電器のカバーを取り外した状態の平面図。
【図３】図１の電磁継電器の駆動ユニットを説明するための平面図。
【図４】図３のIV矢視図。
【図５】図１の電磁継電器の第１の変形例を示す平面図。
【図６】図１の電磁継電器の第２の変形例を示す平面図。
【図７】図１の電磁継電器の第３の変形例を示す図３のIV矢視図。
【図８】図１の電磁継電器の第４の変形例を示す図３のIV矢視図。
【図９】図１の電磁継電器の第５の変形例を示す図３のIV矢視図。
【図１０】図１の電磁継電器の第６の変形例を示す図３のIV矢視図。
【図１１】図１の電磁継電器の第７の変形例を示す平面図。
【図１２】図１の電磁継電器の第８の変形例を示す平面図。
【図１３】図１２のXIII矢視図。
【図１４】図１の電磁継電器の第９の変形例を示す平面図。
【図１５】図１の電磁継電器の第１０の変形例を示す斜視図。
【発明を実施するための形態】
【００１２】
以下、本発明の一実施形態を添付図面に従って説明する。なお、以下の説明では、必要に応じて特定の方向あるいは位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは必ずしも合致していない。
【００１３】
本発明の一実施形態の電磁継電器１は、図１に示すように、箱形の絶縁性のハウジング１０と、このハウジング１０にそれぞれ固定された第１固定接点側端子２０、第１可動接点側端子３０、第２固定接点側端子４０、および、第２可動接点側端子５０を備えている。第１固定接点側端子２０、第１可動接点側端子３０、第２固定接点側端子４０、および、第２可動接点側端子５０は、それぞれ長手方向の中間部が屈曲した略Ｌ字の矩形板状で導電性を有している。また、第１固定接点側端子２０および第１可動接点側端子３０の間に、第２固定接点側端子４０および第２固定接点側端子５０が配置されていると共に、第１固定接点側端子２０、第１可動接点側端子３０、第２固定接点側端子４０、および、第２可動接点側端子５０のハウジング１０の外部側の端部が、略一直線に並んでいる。
【００１４】
ハウジング１０は、図１に示すように、略矩形箱状のベース１１と略矩形板状のカバー１２とで構成され、図２に示すように、その内部に収容部１３を有している。すなわち、収容部１３は、ベース１１とカバー１２とで覆われている。
【００１５】
第１固定接点側端子２０は、図２に示すように、ベース１１の長手方向（すなわち、図２の左右方向）に対向する第１側壁１１１および第２側壁１１２のうちの第１側壁１１１に固定され、ハウジング１０の外部から収容部１３まで延びている。
【００１６】
詳しくは、第１固定接点側端子２０は、ハウジング１０の外部をベース１１の第１側壁１１１からベース１１の短手方向に沿って第３側壁１１３から第４側壁１１４に向かう方向（すなわち、図２の下向き）に延びる外端子２０１と、外端子２０１の第１側壁１１１側の端部に接続され、ハウジング１０の内部をベース１１の第１側壁１１１からベース１１の長手方向に沿って第２側壁１１２に向って延びる内端子２０２とで構成されている。内端子２０２の第４側壁１１４に対向する面には、第１固定接点部２１が固定されている。第１固定接点部２１は、ベース１１の第１側壁１１１近傍に配置されている。
【００１７】
第１可動接点側端子３０は、図２に示すように、ベース１１の第２側壁１１２の第１固定接点側端子２０よりも第４側壁１１４側に固定され、第１固定接点側端子２０に対して電気的に独立した状態でハウジング１０の外部から収容部１３まで延びている。
【００１８】
詳しくは、第１可動接点側端子３０は、ハウジング１０の外部をベース１１の第２側壁１１２からベース１１の短手方向に沿って第３側壁１１３から第４側壁１１４に向かう方向に延びる外端子３０１と、外端子３０１の第２側壁１１２側の端部に接続され、ハウジング１０の内部をベース１１の第２側壁１１２からベース１１の長手方向に沿って第１側壁１１１に向って延びる内端子３０２とで構成されている。
【００１９】
図２に示すように、第１可動接点側端子３０の内端子３０２の第１側壁１１１側の端部３０３には、第１可動接触片３１が設けられている。第１可動接触片３１は、収容部１３に配置され、第１可動接点側端子３０の端部３０３から第１固定接点側端子２０に向かって延びている。また、第１可動接触片３１は、一例として３枚の導電性を有する弾性変形可能な矩形の板部材をその板厚方向に重ねた板状積層体で構成され、その長手方向の一端部が第１可動接点側端子３０の端部３０３に固定されている。第１可動接触片３１の長手方向の他端部のベース１１の第３側壁１１３に対向する面には、第１可動接点部３２が固定されている。この第１可動接点部３２は、第１固定接点部２１に対して対向するように配置され、第１可動接触片３１が弾性変形することにより、第１固定接点部２１に対してベース１１の短手方向沿いに接触または開離するようになっている。
【００２０】
なお、第１可動接触片３１の第１可動接点部３２と、第１可動接点側端子３０の端部３０３との間には、ベース１１の第３側壁１１３に向かってＵ字状に突出した湾曲部３３が設けられている。この湾曲部３３により、第１可動接触片３１が弾性変形したときの第１可動接触片３１の撓み量を吸収および緩和し、円滑な動作特性を確保することができる。
【００２１】
第２固定接点側端子４０は、図２に示すように、ベース１１の第２側壁１１２の第１可動接点側端子３０よりも第４側壁１１４側に固定され、第１固定接点側端子２０および第１可動接点側端子３０に対して電気的に独立した状態でハウジング１０の外部から収容部１３まで延びている。
【００２２】
詳しくは、第２固定接点側端子４０は、ハウジング１０の外部をベース１１の第２側壁１１２からベース１１の短手方向に沿って第３側壁１１３から第４側壁１１４に向かう方向に延びる外端子４０１と、外端子４０１の第２側壁１１２側の端部に接続され、ハウジング１０の内部をベース１１の第２側壁１１２からベース１１の長手方向に沿って第１側壁１１１に向かって延びる内端子４０２とで構成されている。内端子４０２の第３側壁１１３に対向する面には、第２固定接点部４１が固定されている。第２固定接点部４１は、ベース１１の第２側壁１１２近傍に配置されている。
【００２３】
第２可動接点側端子５０は、図２に示すように、ベース１１の第４側壁１１４の第１側壁１１１側の端部に固定され、第１固定接点側端子２０、第１可動接点側端子３０、および、第２固定接点側端子４０に対して電気的に独立した状態でハウジング１０の外部から収容部１３まで延びている。
【００２４】
詳しくは、第１可動接点側端子３０は、ハウジング１０の外部をベース１１の第４側壁１１４からベース１１の短手方向に沿って第３側壁１１３から離れる方向に延びる外端子５０１と、外端子５０１の第４側壁１１２側の端部に接続され、ハウジング１０の内部を第４側壁１１４からベース１１の長手方向に沿って第１側壁１１１から第２側壁１１２に向かう方向に延びる内端子５０２とで構成されている。
【００２５】
図２に示すように、第２可動接点側端子５０の内端子５０２の第２側壁１１１側の端部５０３には、第２可動接触片５１が設けられている。第２可動接触片５１は、第１可動接触片３１の板厚方向（すなわち、ベース１１の短手方向）で第１可動接触片３１と隣接して収容部１３に配置され、第２可動接点側端子５０の端部５０３から第２固定接点側端子４０に向かって延びている。また、第２可動接触片５１は、一例として、第１可動接触片３１と同様に、３枚の導電性を有する弾性変形可能な矩形の板部材をその板厚方向に重ねた板状積層体で構成され、その長手方向の一端部が第２可動接点側端子５０の端部５０３に固定されている。第２可動接触片５１の長手方向の他端部のベース１１の第４側壁１１４に対向する面には、第２可動接点部５２が固定されている。この第２可動接点部５２は、第２固定接点部４１に対して対向するように配置され、第２可動接触片５１が弾性変形することにより、第２固定接点部４１に対してベース１１の短手方向沿いに接触または開離するようになっている。
【００２６】
なお、第２可動接触片５１の第２可動接点部５２と、第２可動接点側端子５０の端部５０３との間には、ベース１１の第４側壁１１４に向かってＵ字状に突出した湾曲部５３が設けられている。この湾曲部５３により、第２可動接触片５１が弾性変形したときの第２可動接触片５１の撓み量を吸収および緩和し、円滑な動作特性を確保することができる。
【００２７】
また、電磁継電器１は、図２に示すように、電磁石部６０、第１回動ブロック７０、第２回動ブロック８０、絶縁性の第１可動部材９０、および、絶縁性の第２可動部材１００を有する駆動ユニット２を備えている。この駆動ユニット２は、ハウジング１０の収容部１３に収容されている。
【００２８】
電磁石部６０は、図２に示すように、収容部１３の第２側壁１１２に隣接する位置に配置されている。この電磁石部６０は、ベース１１の長手方向に延びる巻回中心軸ＣＬを中心に巻回されたコイル６１と、巻回中心軸ＣＬが延びる電磁石部６０の軸方向の両端からコイル６１の外面に沿ってそれぞれ延びている板状の第１ヨーク６２および板状の第２ヨーク６３とを有している。第１ヨーク６２および第２ヨーク６３は、第１可動接触片３１および第２可動接触片５１と電磁石部６０との間に配置されている。なお、図示していないが、電磁石部６０にはコイル端子が設けられており、このコイル端子を介して、電磁石部６０に２つの異なる方向の電流を選択的に供給可能になっている。
【００２９】
第１ヨーク６２は、図３に示すように、電磁石部６０の軸方向における第１側壁１１１側の端部からベース１１の第１側壁１１１に沿って第３側壁１１３から第４側壁１１４に向かう方向（すなわち、図３の下向き）に延びる接続部６２１と、この接続部６２１の電磁石部６０から遠い方の先端部から巻回中心軸ＣＬの延在方向に沿って第１側壁１１１から第２側壁１１２に向かう方向（すなわち、図３の右向き）に延びる吸着部６２２とで構成されている。
【００３０】
なお、図３では、説明の便宜のため、第１回動ブロック７０を図２の状態から回動軸７１の延在方向から見て時計回り回転させた状態を示している。
【００３１】
第２ヨーク６３は、図３に示すように、電磁石部６０の軸方向における第２側壁１１２側の端部からベース１１の第２側壁１１２に沿って第３側壁１１３から第４側壁１１４に向かう方向に延びる接続部６３１と、この接続部６３１の電磁石部６０から遠い方の先端部から巻回中心軸ＣＬの延在方向に沿って第２側壁１１２から第１側壁１１１に向かう方向（すなわち、図３の左向き）に延びる吸着部６３２とで構成されている。
【００３２】
第１ヨーク６２の吸着部６２２と第２ヨーク６３の吸着部６３２とは、ベース１１の高さ方向（すなわち、図３の紙面貫通方向）に沿った平面視において、巻回中心軸ＣＬの延在方向に沿って延びる中心線が相互に一致するように配置されている。すなわち、第１ヨーク６２の吸着部６２２の先端面と第２ヨーク６３の吸着部６３２の先端面とは、相互に対向しており、図４に示すように、その間に第１回動ブロック７０および第２回動ブロック８０をそれぞれ配置可能な第１回動ブロック配置空間６４および第２回動ブロック配置空間６５が設けられている。
【００３３】
詳しくは、第１ヨーク６２は、図４に示すように、相互に対向しない第１対向面６２３および第２対向面６２４を有し、第２ヨーク６３は、相互に対向しない第３対向面６３３および第４対向面６３４を有している。第１対向面６２３および第３対向面６３３の間に第１回動ブロック配置空間６４が設けられ、第２対向面６２４および第４対向面６３４の間に第２回動ブロック配置空間６５が設けられている。
【００３４】
図２に示すように、第１ヨーク６２の吸着部６２２および第２ヨーク６３の吸着部６３２には、ベース１１の高さ方向に突出する突起部６２５、６３５がそれぞれ設けられている。各突起部６２５、６３５は、後述する固定板６６の貫通孔６６１、６６２に嵌合可能になっている。
【００３５】
第１回動ブロック７０は、図３に示すように、ハウジング１０のベース１１に対して、ベース１１の高さ方向に延びる回動軸７１（図４に示す）周りに回動可能に収容部１３の第１回動ブロック配置空間６４に配置されて、電磁石部６０に供給された電流の方向に応じてハウジング１０のベース１１に対して異なる方向に回動する。詳しくは、第１回動ブロック７０は、ブロックハウジング７２（図２に示す）と、ブロックハウジング７２の内部に設けられた永久磁石７３と、この永久磁石７３を挟んで対向するようにブロックハウジング７２にそれぞれ固定された板状の第１鉄片７４および板状の第２鉄片７５とを有している。また、ブロックハウジング７２の第４側壁１１４側かつ第１側壁１１１側の端部には、ベース１１の第１側壁１１１に向かって延びる腕部７２１が設けられている。
【００３６】
第１鉄片７４は、永久磁石７３から第１ヨーク６３に向かって突出する第１端部７４１と、永久磁石７３から第２ヨーク６３に向かって突出する第２端部７４２とを有しており、第１ヨーク６２の吸着部６２２および第２ヨーク６３の吸着部６３２に対して第３側壁１１３側に配置されている。
【００３７】
第２鉄片７５は、永久磁石７３から第１ヨーク６３に向かって突出する第１端部７５１と、永久磁石７３から第２ヨーク６３に向かって突出する第２端部７５２とを有しており、第１ヨーク６２の吸着部６２２および第２ヨーク６３の吸着部６３２に対して第４側壁１１４側に配置されている。
【００３８】
第１鉄片７４および第２鉄片７５の第１端部７４１、７５１間には、第１ヨーク６２が配置されて、第１鉄片７４および第２鉄片７５のいずれかの第１端部７４１、７５１が、第１回動ブロック７０の回動方向で第１ヨーク６２に接触するように構成されている。また、第１鉄片７４および第２鉄片７５の第２端部７４２、７５２間には、第２ヨーク６３が配置されて、第１鉄片７４および第２鉄片７５のいずれかの第２端部７４２、７５２が、第１回動ブロック７０の回動方向で第２ヨーク６３に接触するように構成されている。
【００３９】
第２回動ブロック８０は、図３に示すように、ハウジング１０のベース１１に対して、ベース１１の高さ方向に延びる回動軸８１周りに回動可能に収容部１３の第２回動ブロック配置空間６５に配置されて、電磁石部６０に供給された電流の方向に応じてハウジング１０のベース１１に対して異なる方向に回動する。詳しくは、第２回動ブロック８０は、ブロックハウジング８２（図２に示す）と、ブロックハウジング８２の内部に設けられた永久磁石８３と、この永久磁石８３を挟んで対向するようにブロックハウジング８２にそれぞれ固定された板状の第１鉄片８４および板状の第２鉄片８５とを有している。また、ブロックハウジング８２の第４側壁１１４側かつ第２側壁１１２側の端部には、ベース１１の第２側壁１１２に向かって延びる腕部８２１が設けられている。
【００４０】
第１鉄片８４は、永久磁石８３から第１ヨーク６３に向かって突出する第１端部８４１と、永久磁石８３から第２ヨーク６３に向かって突出する第２端部８４２とを有しており、第１ヨーク６２の吸着部６２２および第２ヨーク６３の吸着部６３２に対して第３側壁１１３側に配置されている。
【００４１】
第２鉄片８５は、永久磁石８３から第１ヨーク６３に向かって突出する第１端部８５１と、永久磁石８３から第２ヨーク６３に向かって突出する第２端部８５２とを有しており、第１ヨーク６２の吸着部６２２および第２ヨーク６３の吸着部６３２に対して第４側壁１１４側に配置されている。
【００４２】
第１鉄片８４および第２鉄片８５の第１端部８４１、８５１間には、第１ヨーク６２が配置されて、第１鉄片８４および第２鉄片８５のいずれかの第１端部８４１、８５１が、第２回動ブロック８０の回動方向で第１ヨーク６２に接触するように構成されている。また、第１鉄片８４および第２鉄片８５の第２端部８４２、８５２間には、第２ヨーク６３が配置されて、第１鉄片８４および第２鉄片８５のいずれかの第２端部８４２、８５２が、第２回動ブロック８０の回動方向で第２ヨーク６３に接触するように構成されている。
【００４３】
第１回動ブロック７０と第２回動ブロック８０とは、同軸上に配置されており、第１回動ブロック７０の回動軸７１と第２回動ブロック８０の回動軸８１とは、同一直線上に位置している。第１回動ブロック７０および第２回動ブロック８０は、ハウジング１０のベース１１と、電磁石部６０の第１ヨーク６２および第２ヨーク６３に固定された固定板６６とに回動可能に支持されている。固定板６６は、略矩形の板状で、長手方向の両端部にそれぞれ板厚方向に貫通する貫通孔６６１、６６２を有している。各貫通孔６６１、６６２は、それぞれ第１ヨーク６２の突起部６２５および第２ヨーク６３の突起部６３５に嵌合されている。また、固定板６６の中央には、第２回動ブロック８０の回動軸８１を構成するブロックハウジング８２の回動軸部８６を挿入可能な軸孔部６６３が設けられている。
【００４４】
第１可動部材９０は、図２に示すように、第１可動接触片３１と第１回動ブロック７０の腕部７２１とに接続されていると共に、第１回動ブロック７０の回動方向に応じて移動して第１可動接触片３１を弾性変形させて第１可動接点部３２を第１固定接点部２１に対して接触または開離させる。詳しくは、第１可動部材９０は、第１回動ブロック７０の回動を第１可動接点部３２が第１固定接点部２１に対して接触または開離する接離方向（すなわち、図２の上下方向）の直線運動に変換可能であり、かつ、第１回動ブロック７０の腕部７２１の先端部に第１回動ブロック７０の回動を許容しつつ接続されていると共に、第１可動接触片３１の延在方向における第１側壁１１１側の端部（すなわち、図２の左側の端部）に接続されている。すなわち、第１可動部材９０は、第１回動ブロック７０の回動により接離方向に移動して、第１可動接触片３１の延在方向における第１側壁１１１側の端部を第１可動接点部３２が第１固定接点部２１に対して接触または開離する接離方向に移動させる。
【００４５】
第２可動部材１００は、図２に示すように、第２可動接触片５１と第２回動ブロック８０の腕部８２１とに接続されていると共に、第２回動ブロック８０の回動方向に応じて移動して第２可動接触片５１を弾性変形させて第２可動接点部５２を第２固定接点部４１に対して接触または開離させる。詳しくは、第２可動部材１００は、第２回動ブロック８０の回動を第２可動接点部５２が第２固定接点部４１に対して接触または開離する接離方向（すなわち、図２の上下方向）の直線運動に変換可能であり、かつ、第２回動ブロック８０の腕部８２１の先端部に第２回動ブロック８０の回動を許容しつつ接続されていると共に、第２可動接触片５１の延在方向における第２側壁１１２側の端部（すなわち、図２の右側の端部）に接続されている。すなわち、第２可動部材１００は、第２回動ブロック８０の回動により接離方向に移動して、第２可動接触片５１の延在方向における第２側壁１１２側の端部を第２可動接点部５２が第２固定接点部４１に対して接触または開離する接離方向に移動させる。
【００４６】
前記電磁継電器１では、第１回動ブロック７０の永久磁石と第２回動ブロック８０の永久磁石とは、同じ極性を有している。すなわち、図２に示す動作状態（すなわち、第１回動ブロック７０の第２鉄片７５の第１端部７５１および第２回動ブロック８０の第２鉄片８５の第１端部８５１が、第１ヨーク６２の吸着部６２２に接触し、第１回動ブロック７０の第１鉄片７４の第２端部７４２および第２回動ブロック８０の第１鉄片８４の第２端部８４２が、第２ヨーク６３の吸着部６３２に接触して、第１可動接点部３２と第１固定接点部２１とが接触し、第２可動接点部５２と第２固定接点部４１とが接触した状態）の電磁継電器１の電磁石部６０に所定方向（例えば、図２のＡ方向）の電流を供給して、第１回動ブロック７０および第２回動ブロック８０を第１回動ブロック７０および第２回動ブロック８０の回動軸７１、８１の延在方向から見て時計回りに回転させる。すると、第１回動ブロック７０および第２回動ブロック８０の回転に伴って、各腕部７２１、８２１も時計回りに回転し、第１可動部材９０をベース１１の第４側壁１１４に向かって移動させて、第１可動接点部３２を第１固定接点部２１から開離させると共に、第２可動部材１００をベース１１の第３側壁１１３に向かって移動させて、第２可動接点部５２を第２固定接点部４１から開離させる。これにより、電磁継電器１は、動作状態から復帰状態（すなわち、第１回動ブロック７０の第１鉄片７４の第１端部７４１および第２回動ブロック８０の第１鉄片８４の第１端部８４１が、第１ヨーク６２の吸着部６２２に接触し、第１回動ブロック７０の第２鉄片７５の第２端部７５２および第２回動ブロック８０の第２鉄片８５の第２端部８５２が、第２ヨーク６３の吸着部６３２に接触して、第１可動接点部３２が第１固定接点部２１から開離し、第２可動接点部５２が第２固定接点部４１から開離接触した状態）になる。
【００４７】
動作状態の電磁継電器１では、第１可動接触片３１に対して、接離方向に交差する第１可動接触片３１の延在方向の一方側（例えば、図２の左側）に配置されている第１固定接点側端子２０または第１可動接点側端子３０（ここでは、第１固定接点側端子２０）が、電流が供給される端子である。また、第２可動接触片５１に対して、第１可動接触片３１の延在方向の他方側（例えば、図２の右側）に配置されている第２固定接点側端子４０または第２可動接点側端子５０（ここでは、第２固定接点側端子４０）が、電流が供給される端子である。すなわち、前記電磁継電器１では、通電時において、第１固定接点側端子２０、第１可動接点側端子３０、および、第１可動接触片３１で構成される導通経路を流れる電流と、第２固定接点側端子４０、第２可動接点側端子５０、および、第２可動接触片５１で構成される導通経路を流れる電流とが、相互に反対方向に流れる。
【００４８】
また、復帰状態の電磁継電器１の電磁石部６０に所定方向とは異なる方向（例えば、図２のＢ方向）の電流を供給して、第１回動ブロック７０および第２回動ブロック８０を第１回動ブロック７０および第２回動ブロック８０の回動軸７１、８１の延在方向から見て反時計回りに回転させる。すると、第１回動ブロック７０および第２回動ブロック８０の回転に伴って、各腕部７２１、８２１も反時計回りに回転し、第１可動部材９０をベース１１の第３側壁１１３に向かって移動させて、第１可動接点部３２を第１固定接点部２１に対して接触させると共に、第２可動部材１００をベース１１の第４側壁１１４に向かって移動させて、第２可動接点部５２を第２固定接点部４１に対して接触させる。
【００４９】
前記電磁継電器１では、複数組の固定接点部および可動接点部（すなわち、第１固定接点部２１、第１可動接点部３２、第２固定接点部４１および第２可動接点部５２）と、複数の回動ブロック（すなわち、第１回動ブロック７０および第２回動ブロック８０）とを備え、各回動ブロックの回動により各可動接点部を対応する固定接点部に対して接触または開離させている。このため、回動ブロックを１つのみ備えた電磁継電器と比べて、１つの回動ブロックで接離させる可動接点部の数を低減させることができるので、設計が容易な電磁継電器１を実現できる。
【００５０】
また、前記電磁継電器１をスマートメータに適用することで、設計が容易で、要求されている性能を得やすいスマートメータを実現できる。
【００５１】
また、第１回動ブロック７０の回動軸７１と、第２回動ブロック８０の回動軸８１とが、同軸上に配置されている。このため、各回動軸７１、８１に交差する方向において収容部１３を省スペース化することができる。
【００５２】
なお、第１回動ブロック７０の永久磁石７３の極性と、第２回動ブロック８０の永久磁石８３の極性とは、同じ場合に限らず、相互に異なっていてもよい。この場合、例えば、図５に示すように、動作状態では、第１回動ブロック７０の第１鉄片７４の第１端部７４１および第２回動ブロック８０の第２鉄片８５の第１端部８５１が、第１ヨーク６２の吸着部６２２に接触し、第１回動ブロック７０の第２鉄片７５の第２端部７５２および第２回動ブロック８０の第１鉄片８４の第２端部８４２が、第２ヨーク６３の吸着部６３２に接触する。また、復帰状態では、第１回動ブロック７０の第２鉄片７５の第１端部７５１および第２回動ブロック８０の第１鉄片８４の第１端部８４１が、第１ヨーク６２の吸着部６２２に接触し、第１回動ブロック７０の第１鉄片７４の第２端部７４２および第２回動ブロック８０の第２鉄片８５の第２端部８５２が、第２ヨーク６３の吸着部６３２に接触する。
【００５３】
このように、第１回動ブロック７０の永久磁石７３の極性と、第２回動ブロック８０永久磁石８３の極性とが相互に異なっているので、仮に、外部から強力な磁界（すなわち、外部磁界）が加えられ、第１回動ブロック７０が強制的に回動させられることにより、第１固定接点部２１および第１可動接点部３２のオン／オフ状態が強制的に変更されたとしても、第２回動ブロック８０は、外部磁界により強制的に回動することがない。すなわち、電磁継電器１に外部磁界が加えられたとしても、第１可動接点部３２および第２可動接点部５２のいずれか一方が、必ず第１固定接点部２１または第２固定接点部４１から開離した状態にすることができる。このため、例えば、前記電磁継電器１がスマートメータに適用された場合、強力な磁石を用いた不正な操作による盗電を防止できる。
【００５４】
また、第１可動接点部３２を第１固定接点部２１に対して接触または開離させるときの第１回動ブロック７０の回転可能な範囲と、第２可動接点部５２を第２固定接点部４１に対して接触または開離させるときの第２回動ブロック８０の回転可能な範囲とが、相互に異なっていてもよい。
【００５５】
例えば、図６に示すように、第１回動ブロック７０の第１鉄片７４および第２鉄片７５の第１端部７４１、７５１と第１ヨーク６２の吸着部６２２との間の最短距離Ｄ１と、第２回動ブロック８０の第１鉄片８４および第２鉄片８５の第１端部８４１、８５１と第１ヨーク６２の吸着部６２２との間の最短距離Ｄ２とが、相互に異なっていてもよい。
【００５６】
また、第１回動ブロック７０の第１鉄片７４における第１ヨーク６２の吸着部６２２または第２ヨーク６３の吸着部６３２に対向する対向面積（すなわち、第１鉄片７４の各端部７４１、７４２と各ヨーク６２、６３の吸着部６２２、６３２とが接触する部分の面積）と、第２回動ブロック８０の第１鉄片８４における第１ヨーク６２の吸着部６２２または第２ヨーク６３の吸着部６３２に対向する対向面積（すなわち、第１鉄片８４の各端部８４１、８４２と各ヨーク６２、６３の吸着部６２２、６３２とが接触する部分の面積）とが、相互に異なっていてもよい。
【００５７】
同様に、第１回動ブロック７０の第２鉄片７５における第１ヨーク６２の吸着部６２２または第２ヨーク６３の吸着部６３２に対向する対向面積（すなわち、第２鉄片７５の各端部７５１、７５２と各ヨーク６２、６３の吸着部６２２、６３２とが接触する部分の面積）と、第２回動ブロック８０の第２鉄片８５における第１ヨーク６２の吸着部６２２または第２ヨーク６３の吸着部６３２に対向する対向面積（すなわち、第２鉄片８５の各端部８５１、８５２と各ヨーク６２、６３の吸着部６２２、６３２とが接触する部分の面積）とが、相互に異なっていてもよい。
【００５８】
例えば、図７では、第１回動ブロック７０の第２鉄片７５の第１端部７５１および第２回動ブロック８０の第２鉄片８５の第１端部８５１に、それぞれ幅広部７５３、８５３を設け、第１回動ブロック７０の第１鉄片７４の第２端部７４２および第２回動ブロック８０の第１鉄片８４の第２端部８４２に、それぞれ幅広部７４３、８４３を設けている。このように構成することで、電磁継電器１が復帰状態から動作状態になるときに各ヨーク６２、６３に吸引される第１回動ブロック７０および第２回動ブロック８０の各鉄片７４、７５、８４、８５の対向面積を大きくすることができる。
【００５９】
また、図８では、第１回動ブロック７０の第２鉄片７５の第１端部７５１および第２回動ブロック８０の第２鉄片８５の第１端部８５１に、それぞれ切欠部７５４、８５４を設け、第１回動ブロック７０の第１鉄片７４の第２端部７４２および第２回動ブロック８０の第１鉄片８４の第２端部８４２に、それぞれ切欠部７４４、８４４を設けている。このように構成することで、電磁継電器１が復帰状態から動作状態になるときに各ヨーク６２、６３に吸引される第１回動ブロック７０および第２回動ブロック８０の各鉄片７４、７５、８４、８５の対向面積を小さくすることができる。
【００６０】
また、図９では、第１回動ブロック７０の第２鉄片７５の第１端部７５１の長さを第２端部７５２の長さよりも長くし、第２回動ブロック８０の第２鉄片８５の第１端部８５１の長さを第２端部８５２の長さよりも長くし、第１回動ブロック７０の第１鉄片７４の第２端部７４２の長さを第１端部７４１よりも長くし、第２回動ブロック８０の第１鉄片８４の第２端部８４２の長さを第１端部８４１の長さよりも長くしている。このように構成することで、電磁継電器１が復帰状態から動作状態になるときに各ヨーク６２、６３に吸引される第１回動ブロック７０および第２回動ブロック８０の各鉄片７４、７５、８４、８５の対向面積を大きくすることができる。この場合、図１０に示すように、第１回動ブロック７０の第２鉄片７５および第２回動ブロック８０の第２鉄片８５の各第１端部７５１、８５１の長さのみを各第２端部７５２、８５２よりも長くすることができる。
【００６１】
このように、第１回動ブロック７０の第１鉄片７４における第１ヨーク６２の吸着部６２２または第２ヨーク６３の吸着部６３２に対向する対向面積が、第２回動ブロック８０の第１鉄片８４における第１ヨーク６２の吸着部６２２または第２ヨーク６３の吸着部６３２に対向する対向面積と相互に異なるように構成する（あるいは、第１回動ブロック７０の第２鉄片７５における第１ヨーク６２の吸着部６２２または第２ヨーク６３の吸着部６３２に対向する対向面積が、第２回動ブロック８０の第２鉄片８５における第１ヨーク６２の吸着部６２２または第２ヨーク６３の吸着部６３２に対向する対向面積と相互に異なるように構成する）ことができる。これらのように構成することで、第１回動ブロック７０および第２回動ブロック８０の回動速度が相互に異なるようにすることができる。
【００６２】
また、各回動ブロック７０、８０の回転可能な範囲を調整したり、各回動ブロック７０、８０の第１鉄片７４、８４および第２鉄片７５、８５の長さを調整したり、各回動ブロック７０、８０の第１鉄片７４、８４および第２鉄片７５、８５における第１ヨーク６２または第２ヨーク６３の対向面積を調整したりすることができる。このように構成することで、例えば、第１回動ブロック７０の第１固定接点部２１および第１可動接点部３２と、第２回動ブロック８０の第２固定接点部４１および第２可動接点部５２とが接触または開離するタイミングをずらしたり、一方の回動ブロックにより接離する固定接点部および可動接点部を主接点部とし、他方の回動ブロックの回動により接離する固定接点部および可動接点部を補助接点部とする構造にしたりすることができる。これにより、設計が容易な電磁継電器１を実現できる。
【００６３】
なお、第１回動ブロック７０の第１固定接点部２１および第１可動接点部３２と、第２回動ブロック８０の第２固定接点部４１および第２可動接点部５２とが接触または開離するタイミングをずらすことで、例えば、一方の回動ブロックの回動により接離する固定接点部および可動接点部間のみにアークが発生するように構成できる。
【００６４】
また、各回動ブロック７０、８０の第１鉄片７４、８４および第２鉄片７５、８５における第１ヨーク６２または第２ヨーク６３の対向面積を調整することで、電磁継電器１を動作状態から復帰状態にするために必要な電磁石部６０に供給される電流（すなわち、リセット電流）と、電磁継電器１を復帰状態から動作状態にするために必要な電磁石部６０に供給される電流（すなわち、セット電流）とを調整することができる。これにより、例えば、各回動ブロック７０、８０の第１鉄片７４、８４と第１ヨーク６２および第２ヨーク６３と間の吸引力、および、第２鉄片７５、８５と第１ヨーク６２および第２ヨーク６３間との吸引力を可動接触片３１、５１のばね力に適合するように調整することができる。
【００６５】
また、第１回動ブロック７０の回動軸７１と第２回動ブロック８０の回動軸８１とは、同軸上に配置されている場合に限らない。例えば、図１１および図１２に示すように、第１回動ブロック７０および第２回動ブロック８０は、電磁石部６０のコイル６１の外面に沿って間隔を空けて配置してもよいし、図１４に示すように、第１回動ブロック７０および第２回動ブロック８０は、電磁石部６０の巻回中心軸ＣＬに対して対称に配置してもよい。すなわち、第１回動ブロック７０の回動軸７１と第２回動ブロック８０の回動軸８１とは、平行かつ非同軸上に配置されていてもよいし、非平行かつ非同軸上に配置されていてもよい。
【００６６】
このように、回動ブロック７０および第２回動ブロック８０は、同軸上あるいは非同軸上に限らず配置できるので、設計が容易な電磁継電器１を実現できる。
【００６７】
なお、図１２の電磁継電器１では、図１３に示すように、第１回動ブロック７０および第２回動ブロック８０は、各回動軸７１、８１の中心を通りかつ巻回中心軸ＣＬに沿って延びる仮想直線Ｌ１、Ｌ２が、第１ヨーク６２および第２ヨーク６３の幅方向の中心を通りかつ巻回中心軸ＣＬに沿って延びる仮想直線Ｌ３に対して間隔を空けて配置されている。
【００６８】
また、前記電磁継電器１は、第１回動ブロック７０および第２回動ブロック８０を備える場合に限らず、図１５に示すように、第１回動ブロック７０および第２回動ブロック８０に加えて、第３回動ブロック１７０を備えてもよい。さらに、４以上の回動ブロックを備えてもよい。この場合、各回動ブロックには、少なくとも１組の可動接点部および固定接点部が対応付けられて、各回動ブロックの回動に応じて、対応付けられた可動接点部を固定接点部に対して接触または開離させるようになっていればよい。なお、第３回動ブロック１７０は、第１回動ブロック７０または第２回動ブロック８０と同一の構成を有している。
【００６９】
また、前記電磁継電器１では、第１固定接点側端子２０、第１可動接点側端子３０、および、第１可動接触片３１で構成される導通経路３と、第２固定接点側端子４０、第２可動接点側端子５０、および、第２可動接触片５１で構成される導通経路とに、相互に反対方向の電流が流れるように構成しているが、電磁継電器の設計等に応じて、同じ方向の電流が流れるように構成しても構わない。
【００７０】
以上、図面を参照して本発明における種々の実施形態を詳細に説明したが、最後に、本発明の種々の態様について説明する。
【００７１】
本発明の第１態様の電磁継電器は、
内部に収容部を有する箱形の絶縁性のハウジングと、
前記ハウジングに固定され、前記ハウジングの外部から前記収容部まで延びていると共に、前記収容部に位置する第１固定接点部を有する板状の第１固定接点側端子と、
前記ハウジングに固定され、前記ハウジングの外部から前記収容部まで延びていると共に、前記第１固定接点側端子に対して電気的に独立して配置されている板状の第１可動接点側端子と、
前記収容部に配置されかつ前記第１可動接点側端子と電気的に接続されていると共に、前記第１固定接点部に対向する第１可動接点部を有し、前記第１可動接点部が前記第１固定接点部に接触および開離可能に弾性変形する第１可動接触片と、
前記ハウジングに固定され、前記ハウジングの外部から前記収容部まで延びかつ前記第１固定接点側端子および前記第１可動接点側端子に対して電気的に独立して配置されていると共に、前記収容部に位置する第２固定接点部を有する板状の第２固定接点側端子と、
前記ハウジングに固定され、前記ハウジングの外部から前記収容部まで延びていると共に、前記第１固定接点側端子、前記第１可動接点側端子、および、前記第２固定接点側端子に対して電気的に独立して配置されている板状の第２可動接点側端子と、
前記収容部に配置されかつ前記第２可動接点側端子と電気的に接続されていると共に、前記第２固定接点部に対向する第２可動接点部を有し、前記第２可動接点部が前記第２固定接点部に接触および開離可能に弾性変形する第２可動接触片と、
前記収容部に配置されかつ異なる方向の電流を供給可能な電磁石部と、
前記ハウジングに対して回動軸周りに回動可能に前記収容部の第１回動ブロック配置空間に配置されて、前記電磁石部に供給された電流の方向に応じて前記ハウジングに対して異なる方向に回動する第１回動ブロックと、
前記ハウジングに対して回動軸周りに回動可能に前記収容部の第２回動ブロック配置空間に配置されて、前記電磁石部に供給された電流の方向に応じて前記ハウジングに対して異なる方向に回動する第２回動ブロックと、
前記収容部に配置されかつ前記第１可動接触片と前記第１回動ブロックとに接続されていると共に、前記第１回動ブロックの回動方向に応じて移動して前記第１可動接触片を弾性変形させて前記第１可動接点部を前記第１固定接点部に対して接触または開離させる第１可動部材と、
前記収容部に配置されかつ前記第２可動接触片と前記第２回動ブロックとに接続されていると共に、前記第２回動ブロックの回動方向に応じて移動して前記第２可動接触片を弾性変形させて前記第２可動接点部を前記第２固定接点部に対して接触または開離させる第２可動部材と、
を備え、
前記電磁石部が、
前記第１可動接触片および前記第２可動接触片と前記電磁石部との間に配置されかつ相互に対向しない第１対向面および第２対向面を有する第１ヨークと、
前第１記可動接触片および前記第２可動接触片と前記電磁石部との間に配置されかつ前記第１対向面に対向する第３対向面および前記第２対向面に対向する第４対向面を有する第２ヨークとを有し、
前記第１対向面と前記第３対向面との間に前記第１回動ブロック配置空間が設けられ、前記第２対向面と前記第４対向面との間に前記第２回動ブロック配置空間が設けられている。
【００７２】
第１態様の電磁継電器によれば、複数組の固定接点部および可動接点部と、複数の回動ブロックとを備え、各回動ブロックの回動により各可動接点部を対応する固定接点部に対して接触または開離させている。このため、回動ブロックを１つのみ備えた電磁継電器と比べて、１つの回動ブロックで接離させる可動接点部の数を低減させることができるので、設計が容易な電磁継電器を実現できる。
【００７３】
本発明の第２態様の電磁継電器は、
前記第１回動ブロックおよび第２回動ブロックの各々が、前記回動軸が配置された永久磁石と、前記回動軸の延在方向に交差する方向に延びかつ前記永久磁石を挟むように相互に対向して配置された第１鉄片および第２鉄片とを有し、
前記第１回動ブロックの前記永久磁石の極性と、前記第２回動ブロックの前記永久磁石の極性とが、相互に異なっている。
【００７４】
第２態様の電磁継電器によれば、仮に、外部から強力な磁界（すなわち、外部磁界）が加えられ、第１回動ブロックが強制的に回動させられることにより、第１固定接点部および第１可動接点部のオン／オフ状態が強制的に変更されたとしても、第２回動ブロックは、外部磁界により強制的に回動することがない。このため、例えば、前記電磁継電器がスマートメータに適用された場合、強力な磁石を用いた不正な操作による盗電を防止できる。
【００７５】
本発明の第３態様の電磁継電器は、
前記第１可動接点部を前記第１固定接点部に対して接触または開離させるときの前記第１回動ブロックの回転可能な範囲と、前記第２可動接点部を前記第２固定接点部に対して接触または開離させるときの前記第２回動ブロックの回転可能な範囲とが、相互に異なっている。
【００７６】
第３態様の電磁継電器によれば、例えば、第１回動ブロックの第１固定接点部および第１可動接点部と、第２回動ブロックの第２固定接点部および第２可動接点部とが接触または開離するタイミングをずらしたり、一方の回動ブロックにより接離する固定接点部および可動接点部を主接点部とし、他方の回動ブロックの回動により接離する固定接点部および可動接点部を補助接点部とする構造にしたりすることができる。これにより、設計が容易な電磁継電器を実現できる。
【００７７】
本発明の第４態様の電磁継電器は、
前記第１鉄片および第２鉄片の各々が、前記永久磁石から前記第１ヨークに向かって突出する第１端部と、前記永久磁石から前記第２ヨークに向かって突出する第２端部とを有しており、
前記第１鉄片および前記第２鉄片の前記第１端部間には、前記第１ヨークが配置されて、前記第１鉄片および前記第２鉄片のいずれかの前記第１端部が、前記第１回動ブロックまたは前記第２回動ブロックの回動方向で前記第１ヨークに接触するように構成され、
前記第１鉄片および前記第２鉄片の前記第２端部間には、前記第２ヨークが配置されて、前記第１鉄片および前記第２鉄片のいずれかの前記第２端部が、前記第１回動ブロックまたは前記第２回動ブロックの回動方向で前記第２ヨークに接触するように構成されており、
前記第１回動ブロックの前記第１端部および前記第１ヨークの間の最短距離と、前記第２回動ブロックの前記第１端部および前記第１ヨークの間の最短距離とが、相互に異なっている。
【００７８】
第４態様の電磁継電器によれば、例えば、第１回動ブロックの第１固定接点部および第１可動接点部と、第２回動ブロックの第２固定接点部および第２可動接点部とが接触または開離するタイミングをずらしたり、一方の回動ブロックにより接離する固定接点部および可動接点部を主接点部とし、他方の回動ブロックの回動により接離する固定接点部および可動接点部を補助接点部とする構造にしたりすることができる。これにより、設計が容易な電磁継電器を実現できる。
【００７９】
本発明の第５態様の電磁継電器は、
前記第１回動ブロックの前記第１鉄片の前記第１ヨークに対向する面の面積と、前記第２回動ブロックの前記第１鉄片の前記第１ヨークに対向する面の面積とが、相互に異なっており、前記第１回動ブロックの前記第２鉄片の前記第１ヨークに対向する面の面積と、前記第２回動ブロックの前記第２鉄片の前記第１ヨークに対向する面の面積とが、相互に異なっている。
【００８０】
第５態様の電磁継電器によれば、例えば、第１回動ブロックの第１固定接点部および第１可動接点部と、第２回動ブロックの第２固定接点部および第２可動接点部とが接触または開離するタイミングをずらしたり、一方の回動ブロックにより接離する固定接点部および可動接点部を主接点部とし、他方の回動ブロックの回動により接離する固定接点部および可動接点部を補助接点部とする構造にしたりすることができる。これにより、設計が容易な電磁継電器を実現できる。
【００８１】
本発明の第６態様の電磁継電器は、
前記第１回動ブロックの前記回動軸と、前記第２回動ブロックの前記回動軸とが、同軸上に配置されている。
【００８２】
第６態様の電磁継電器によれば、第１回動ブロックの回動軸と第２回動ブロックの回動軸とが同軸上に配置されているため、各回動軸に交差する方向において収容部を省スペース化することができる。
【００８３】
本発明の第７態様の電磁継電器は、
前記第１回動ブロックの前記回動軸と、前記第２回動ブロックの前記回動軸とが、非同軸上に配置されている。
【００８４】
第７態様の電磁継電器によれば、設計が容易な電磁継電器１を実現できる。
【００８５】
本発明の第８態様のスマートメータは、
前記電磁継電器を備えた。
【００８６】
第８態様のスマートメータによれば、前記態様の電磁継電器により、設計が容易で、要求されている性能を得やすいスマートメータを実現できる。
【００８７】
なお、前記様々な実施形態または変形例のうちの任意の実施形態または変形例を適宜組み合わせることにより、それぞれの有する効果を奏するようにすることができる。また、実施形態同士の組み合わせまたは実施例同士の組み合わせまたは実施形態と実施例との組み合わせが可能であると共に、異なる実施形態または実施例の中の特徴同士の組み合わせも可能である。
【産業上の利用可能性】
【００８８】
本発明の電磁継電器は、例えば、スマートメータに適用できる。
【符号の説明】
【００８９】
１  電磁継電器
２  駆動ユニット
１０  ハウジング
１１  ベース
１１１  第１側壁
１１２  第２側壁
１１３  第３側壁
１１４  第４側壁
１２  カバー
１３  収容部
２０  第１固定接点側端子
２０１  外端子
２０２  内端子
２１  第１固定接点部
３０  第１可動接点側端子
３０１  外端子
３０２  内端子
３０３  端部
３１  第１可動接触片
３２  第１可動接点部
３３  湾曲部
４０  第２固定接点側端子
４０１  外端子
４０２  内端子
４１  第２固定接点部
５０  第２可動接点側端子
５０１  外端子
５０２  内端子
５０３  端部
５１  第２可動接触片
５２  第２可動接点部
５３  湾曲部
６０  電磁石部
６１  コイル
６２  第１ヨーク
６２１  接続部
６２２  吸着部
６２３  第１対向面
６２４  第２対向面
６３  第２ヨーク
６３１  接続部
６３２  吸着部
６３３  第３対向面
６３４  第４対向面
６４  第１回動ブロック配置空間
６５  第２回動ブロック配置空間
６６  固定板
７０  第１回動ブロック
７１  回動軸
７２  ブロックハウジング
７２１  腕部
７３  永久磁石
７４  第１鉄片
７４１  第１端部
７４２  第２端部
７４３  幅広部
７４４  切欠部
７５  第２鉄片
７５１  第１端部
７５２  第２端部
７５３  幅広部
７５４  切欠部
８０  第２回動ブロック
８１  回動軸
８２  ブロックハウジング
８２１  腕部
８３  永久磁石
８４  第１鉄片
８４１  第１端部
８４２  第２端部
８４３  幅広部
８４４  切欠部
８５  第２鉄片
８５１  第１端部
８５２  第２端部
８５３  幅広部
８５４  切欠部
９０  第１可動部材
１００  第２可動部材
１７０  第３回動ブロック
ＣＬ  巻回中心軸
Ｌ１〜Ｌ３  仮想直線
Ｄ１、Ｄ２  最短距離
【図１】
2019032944.tif 000003
【図２】
2019032944.tif 000004
【図３】
2019032944.tif 000005
【図４】
2019032944.tif 000006
【図５】
2019032944.tif 000007
【図６】
2019032944.tif 000008
【図７】
2019032944.tif 000009
【図８】
2019032944.tif 000010
【図９】
2019032944.tif 000011
【図１０】
2019032944.tif 000012
【図１１】
2019032944.tif 000013
【図１２】
2019032944.tif 000014
【図１３】
2019032944.tif 000015
【図１４】
2019032944.tif 000016
【図１５】
2019032944.tif 000017